(57)【特許請求の範囲】
【請求項１】
表示手段と、
指示手段からの指示を受付けて前記表示手段に対する位置情報を入力する、タッチパネルで構成される位置情報入力手段と、
前記位置情報入力手段によって得られた位置情報から前記指示手段の動きの変位を積算する積算手段と、
前記積算手段が積算した前記指示手段の動きの変位の積算値に応じて、画像信号の再生を制御する再生制御手段とを備え、
前記再生制御手段は、再生モードがコマ送りモードの場合、前記積算手段の積算値が大きい場合にはコマ送り速度を早く、前記積算値が小さい場合にはコマ送り速度を遅くするとともに、前記モード選択手段がコマ送りモードを指示した場合、前記再生制御手段はコマ送りしたコマ数に応じて前記積算手段の積算値の絶対値を低減してコマ送り速度を遅くする
画像再生装置。
【請求項２】
前記再生制御手段に指示して再生モードを選択させるモード選択手段を備える
請求項１に記載の画像再生装置。
【請求項３】
前記積算手段は前記指示手段の動きの変位を正負の極性をつけて積算し、
前記再生制御手段は前記積算手段の積算値が正の場合は順方向のコマ送りモードを、前記積算手段の積算値が負の場合は負方向のコマ送りモードを選択し、前記積算手段の積算値の絶対値が大きい場合にはコマ送り速度を早く、積算値の絶対値が小さい場合にはコマ送り速度を遅くする
請求項１に記載の画像再生装置。
【請求項４】
前記再生制御手段は、前記指示手段からの指示の受付け開始から所定の時間内に前記積算手段が積算した前記指示手段の動きの変位の積算値に応じて画像信号の再生を制御する
請求項１に記載の画像再生装置。
【発明の詳細な説明】
【技術分野】
【０００１】
本発明は、画像再生装置に関し、特にタッチパネル装置を入力手段とする画像再生装置に関する。
【背景技術】
【０００２】
従来のビデオ画像再生装置においては、コマ送りの制御用にプッシュ釦やジョグダイヤルなどが用いられているが、これらの操作は必ずしも人間の直観的動作と結び付いていない。また、プッシュ釦やジョグダイヤルなどは、携帯型の装置に用いるためには、装置のパネル上の使用表面積が広くなる、実装面での体積的にもスペースが必要である、また、コストの面でも高価である等の点で適していない。またスイッチを複数、必要とするから、その分、ソフトウェア的な制御が煩雑になるため、順方向または逆方向の一方向だけについてはコマ送り速度を可変にした再生制御が可能でも、順逆反復再生を一連の操作として繰り返すような制御は不可能である。
【０００３】
ところで、パネル表示装置上に表示されたメニュー表示などの上のライトペンや指での指示位置を検出して、指示位置の座標に応じた情報を入力するタッチパネル装置がコンピュータや画像処理装置などの入力装置として実用化されている。タッチパネル装置は多数の項目の内から１つを選ぶような場合にとくに有効である。
【０００４】
本発明では、このようなパネル表示装置を人間の直観的動作と結び付けて利用させることによって、画像再生装置の操作を容易にし、使用表面積や使用体積を小さくするようにする。
【発明の概要】
【発明が解決しようとする課題】
【０００５】
上述のごとく、ビデオ画像再生装置のコマ送り制御用の入力装置には、従来、プッシュ釦やジョグダイヤルなどが用いられているため、使用者の直観的な動作とは必ずしも一致せず、かつ、装置の操作面での面積や実装のための体積を必要とし、ことに携帯型の装置には適していなかった。
【０００６】
本発明はこの点を解決して、比較的簡単な方法で、使用者の直観的な動作と一致した入力が可能で、装置の操作面での面積や実装体積をあまり必要とせず、廉価で、携帯型の装置に適したコマ送り制御用の入力手段を有する画像再生装置の実現を課題とする。
【課題を解決するための手段】
【０００７】
上記課題を達成するため、本発明の画像再生装置は、表示手段と、指示手段からの指示を受付けて表示手段に対する位置情報を入力する、タッチパネルで構成される位置情報入力手段と、位置情報入力手段によって得られた位置情報から指示手段の動きの変位を積算する積算手段と、積算手段が積算した指示手段の動きの変位の積算値に応じて、画像信号の再生を制御する再生制御手段とを備え、再生制御手段は、再生モードがコマ送りモードの場合、積算手段の積算値が大きい場合にはコマ送り速度を早く、積算値が小さい場合にはコマ送り速度を遅くするとともに、モード選択手段がコマ送りモードを指示した場合、再生制御手段はコマ送りしたコマ数に応じて積算手段の積算値の絶対値を低減してコマ送り速度を遅くすることを特徴とする。
【発明の効果】
【０００８】
このようにしたことで、タッチパネル面上での人間の指の動作とビデオ画像の制御を関連付けて、直感的な操作が可能になる。さらに、ボタンやジョグダイヤルを配置する変わりに、タッチパネルで制御できるようになるため、面積、体積、コスト面でメリットがあり、携帯型装置に適した構成が実現できる。さらにボタンやジョグダイヤルを配置する場合よりも、ソフト処理が簡単になる。この結果、順方向、逆方向を短時間に反復再生するような制御も可能になり、新たな再生方法を提案できる。
【０００９】
また本発明は、積算手段は指示手段の動きを正負の極性をつけて積算し、再生制御手段は、積算手段の積算値が正であって第１の所定値よりも小さい場合は順方向のコマ送りモードを、積算手段の積算値が正であって前記第１の所定値よりも大きく第１の所定値よりも大きな第２の所定値よりも小さい場合には順方向の通常再生モードを、積算手段の積算値が正であって第２の所定値よりも大きい場合には順方向の早送り再生モードを、積算手段の積算値が負であって第３の所定値よりも大きい場合は負方向のコマ送りモードを、積算手段の積算値が負であって第３の所定値よりも小さく第３の所定値よりも小さな第４の所定値よりも大きい場合には負方向の通常再生モードを、積算手段の積算値が負であって第４の所定値よりも小さい場合には負方向の早送り再生モードを選択し、積算手段の積算値が０の場合は静止画像再生を行うことを特徴とする。これにより、再生操作モードの切り替えもタッチパネル面上での人間の指の動作で行うことができ、操作が直観的で容易になり、より小型で、より操作箇所の少ない携帯型装置に適した構成が実現できる。
【００１０】
また本発明は、再生制御手段が順方向のコマ送りモードまたは負方向のコマ送りモードを選択している場合は、積算手段の積算値が第１の所定値よりも小さく第３の所定値よりも大きい範囲内で、積算値の絶対値が大きい程コマ送り速度を早く、積算値の絶対値が小さい程コマ送り速度を遅くすることを特徴とする。これにより、コマ送りモードの時のコマ送り速度もタッチパネル面上での指の動作で制御することができ、操作が直観的で容易になる。
【００１１】
また本発明は、再生制御手段が順方向のコマ送りモードまたは負方向のコマ送りモードを選択している場合は、コマ送りしたコマ数に応じて積算手段の積算値の絶対値を低減してコマ送り速度を遅くすることを特徴とする。これにより、コマ送りモードの際の操作が容易になり、必要とする目的のコマの検索が容易に実行できる。
【００１２】
また本発明は、再生制御手段が前記順方向の早送り再生モードまたは負方向の早送り再生モードを選択している場合は、積算手段の積算値が第２の所定値よりも大きいか第４の所定値よりも小さい範囲で、積算値の絶対値が大きい程早送り速度を早く、積算値の絶対値が小さい程早送り速度を遅くすることを特徴とする。これにより、早送り再生モードの時の早送り速度もタッチパネル面上での指の動作で制御することができ、操作が直観的で容易になる。
【００１３】
また本発明は、再生制御手段に指示して再生モードを選択させるモード選択手段を具備し、このモード選択手段がコマ送りモードを指示した場合、積算手段は指示手段の動きを正負の極性をつけて積算し、再生制御手段は積算手段の積算値が正の場合は順方向のコマ送りモードを、積算手段の積算値が負の場合は負方向のコマ送りモードを選択し、積算手段の積算値の絶対値が大きい場合にはコマ送り速度を早く、積算値の絶対値が小さい場合にはコマ送り速度を遅くすることを特徴とする。これにより、モード選択手段を別途用意した場合に、このモード選択手段がコマ送りモードを選択した時のコマ送り速度もタッチパネル面上での指の動作で制御することができ、操作が直観的で容易になる。
【００１４】
また本発明は、モード選択手段がコマ送りモードを指示した場合、コマ送りしたコマ数に応じて積算手段の積算値の絶対値を低減してコマ送り速度を遅くすることを特徴とする。これにより、モード選択手段を別途用意した場合で、このモード選択手段がコマ送りモードを選択した時の操作が容易になり、必要とする目的のコマの検索を容易に実行することができる。
【図面の簡単な説明】
【００１５】
【図１】本発明の一実施の形態のビデオ画像再生装置のタッチパネル装置周辺の構成を示すブロック図。
【図２】図１の実施の形態での再生処理のフローチャート。
【図３】本発明の他の実施の形態の再生処理のフローチャート。
【図４】図３の実施の形態での積算値と再生モードとの関係を示す図表。
【発明を実施するための形態】
【００１６】
以下、本発明にかかるビデオ画像再生装置を添付図面を参照して詳細に説明する。図１は、本発明の一実施の形態のビデオ画像再生装置の入力手段として用いられるタッチパネル装置周辺の構成を示すブロック図である。図１において、１はタッチパネル、２はパネル表示装置、３はＡ／Ｄコンバータ、４はメカコントローラ、５はＣＰＵ、６はメモリ、７は表示部、８はサーボ部、９はディスク、１０はデータ処理部である。液晶パネル等の表示装置２表面にオーバーレイされているタッチパネル１は、操作者の指やペンの動きに従い、その位置座標に相当する電圧を出力し、Ａ／Ｄコンバータ３はそれをデジタル値化して、メカコントローラ４に送る。メカコントローラ４は、繰作者が現在指し示している座標（ｘ、ｙ）をＣＰＵ５に送る。ＣＰＵ５は時々刻々変化する座標（ｘ、ｙ）に関し、常に、変位（ｄｘあるいはｄｙ）を計算する。
【００１７】
以下、入力変位としてはｘ軸方向、ｙ軸方向およびその両者を用いることができるが、ここにではｘ方向の変位ｄｘのみを利用する場合について説明する。ＣＰＵ５は時間がたつに連れｄｘを積算し（これをＳｘとする）、ある瞬間におけるＳｘの値が、正であれば動画を順方向に、負であれば逆方向に再生するよう制御する（この逆の組み合わせも考えられる）。再生につれて、Ｓｘの絶対値を減じていき、Ｓｘが‘０’のときには静止画像を再生する。
【００１８】
図２に、この実施の形態でのＣＰＵ５の再生処理のフローチャートを示す。図２において、ステップ１００でスタートすると、まずタッチパネル１上の指（またはペン）のｘ座標を検出する（ステップ１０１）。次に前回入力したｘ座標値との差分ｄｘを計算する（ステップ１０２）。計算された差分ｄｘは積算値Ｓｘに加算される（ステップ１０３）。この結果、積算値Ｓｘの値が０の場合は現在の出力画像をそのまま静止画像として再生し続ける（ステップ１０４）。積算値Ｓｘが０でなく正の場合は（ステップ１０５）、ステップ１０６に進み、積算値Ｓｘの値に応じて順方向にコマ送り制御を行う。このとき、積算値Ｓｘの値が大きいときはコマ送りの速度を上げ、積算値Ｓｘの値が小さいときはコマ送りの速度を遅くするようにしても良い。コマ送りが進めば、送ったコマ数に相当する分の値を積算値Ｓｘから減算する（ステップ１０７）。減算した分、積算値Ｓｘの値が小さくなるので、その分、コマ送りの速度を遅くするようにしても良い。
【００１９】
ステップ１０５で積算値Ｓｘが負の場合はステップ１０８に進み、積算値Ｓｘの値に応じて逆方向にコマ送り制御を行う。このとき、積算値Ｓｘの絶対値が大きいときはコマ送りの速度を上げ、積算値Ｓｘの絶対値が小さいときはコマ送りの速度を遅くするようにしても良い。コマ送りが進めば、送ったコマ数に相当する分の値を積算値Ｓｘに加算する（ステップ１０９）。加算した分、積算値Ｓｘの絶対値が小さくなるので、その分、コマ送りの速度を遅くするようにしても良い。
【００２０】
コマ送りは、メモリ６を記録媒体とする再生機器の場合には、ＣＰＵ５は指定フレーム（あるいはフィールド）のアドレスを更新することで、読み出し画像を変化させ、これが表示部７を経て、表示装置２に表示されることで実行される。
【００２１】
ディスク９やテープを記録媒体とする再生装置の場合には、ＣＰＵ５よりメカコントローラ４にコマンドが送られ、メカコントローラ４はサーボ部８を制御してディスク装置９やテープ装置を駆動する。ディスク９やテープから読み出されたデータはデータ処理部１０、表示部７を経て、動画像として表示装置２に表示される。
【００２２】
以上の実施の形態では、積算値Ｓｘの値に応じてコマ送り速度を変化させるように説明した。これに対し、積算値Ｓｘの値に応じて再生モードを変化させる方法も考えられる。再生モードとして、通常再生モード、早送り再生モード、コマ送り再生モードがあり、それぞれのモードに対して順逆の２方向の送りがあって合計６種類の再生モードに適用する。
【００２３】
この実施の形態でのＣＰＵ５の再生処理のフローチャートを図３に示す。図３において、ステップ２０５までは、図２のステップ１０５までと一致しているので説明は省略する。ステップ２０５でＳｘが正の場合はステップ２０６に進み、Ｓｘが第２の閾値Ｔ２よりも大きいかどうかを調べ、もし大きい場合は順方向の早送り再生モードに入る（ステップ２０７）。Ｓｘが第２の閾値Ｔ２よりも小さい場合は、ステップ２０８に進み、ＳｘがＴ２よりも小さい第１の閾値Ｔ１よりも大きいかどうかを調べ、もし大きい場合は順方向の通常再生モードに入る（ステップ２０９）。また、Ｓｘが第１の閾値Ｔ１よりも小さい場合は、順方向のコマ送りモードに入り、順方向にコマ送り制御を行う（ステップ２１０）。このとき、この範囲での積算値Ｓｘの値に応じて積算値Ｓｘの値が大きいときはコマ送りの速度を上げ、積算値Ｓｘの値が小さいときはコマ送りの速度を遅くするようにしても良い。コマ送りが進めば、送ったコマ数に相当する分の値を積算値Ｓｘから減算する（ステップ２１１）。減算した分、積算値Ｓｘの値が小さくなるので、その分、コマ送りの速度を遅くするようにしても良い。ステップ２０５でＳｘが負の場合はステップ２１２に進む。それ以降の経緯は順方向の場合に準ずるので説明は省略する。図４に、この実施の形態でのＳｘの値とモードの関係を図表にして示した。
【００２４】
以上の例では、現在のＳｘの値に応じて再生制御を変える例について説明したが、このほか、最初の入力より一定時間内のＳｘ（初期ストロークに相当する）を固定値として保持し、以後入力がなくてもその固定値の絶対値に比例した速度で慣性的に再生するような方法も考えられる。また、一定時間入力がない場合は、徐々に単位時間あたりの再生フレーム数（フレームレート）を減じ、最終的には静止画像になって止まる実現例も考えられる。
【００２５】
以上に述べたように、本発明では、ビデオ画像再生装置にタッチパネル装置を設け、タッチパネル面上の指などの動きを積算し、その積算値に応じて再生制御を行っているので、１．タッチパネル面上での人間の手の動作とビデオ画像のコマ送り制御を関連付けることにより、直感的な操作が可能となる。２．携帯型装置においては、ボタンやジョグダイヤルを配置する変わりに、タッチパネルで制御できるようにるため、面積、体積、コスト面で有利である。３．ボタンやジョグダイヤルを配置する場合よりも、ソフト処理が簡単になる。結果、順方向、逆方向を短時間に反復再生するような制御も可能になり、新たな再生方法を提案できる。等のメリットがある。
【符号の説明】
【００２６】
１…タッチパネル、２…パネル表示装置、３…Ａ／Ｄコンバータ、４…メカコントローラ、５…ＣＰＵ、６…メモリ、７…表示部、８…サーボ部、９…ディスク、１０…データ処理部
【図１】
0004811469.tif 000002
【図２】
0004811469.tif 000003
【図３】
0004811469.tif 000004
【図４】
0004811469.tif 000005